(57)【要約】      （修正有）【課題】屋内で使用する布製カーテンに於いて、異なる窓高に取り付ける時に必要なカーテンの丈の大きさが異なるが、窓高に応じてカーテンの丈の長さを容易に調整可能とする前飾り付きカーテンを提供する。【解決手段】前飾りカーテンと本体カーテンからなり本体カーテンの上部に取付フックを設け、前飾りカーテンの縦方向に複数の折り込みを施し、その折り込み部を一定間隔で複数の糸目を設け、糸目に本体カーテンのフックを取り付けることにより糸目の位置を変えることでカーテンの丈の長さを調整する。【選択図】図３
0003142647.tif 000002
【実用新案登録請求の範囲】
【請求項１】
布素材のカーテン生地に溝部を設けるように縦方向に複数の折りこみを設け、各折りこみ溝部を固定する糸目を等間隔に施した前飾りカーテンと取付フックを上部に具備する本体カーテンからなり、本体カーテンの取付フックを前飾りカーテンの糸目に取り付けることを特徴とするカーテンにおいて、前飾りカーテンの糸目に取り付ける位置を変えることにより、カーテンの丈の長さを調整可能とする前飾り付きカーテン。
【請求項２】
本体カーテンを前飾りカーテンに取り付けための取付フックは金属ワイヤーを素材とし、先端部は略４５ｍｍ間隔のＵ字状に折り曲げられ、下端部は先端部と同一側に略１０ｍｍ間隔のＵ字状に折り曲げられたことを特徴とする請求項１の前飾り付きカーテン。
【請求項３】
前飾りカーテンの糸目は、前飾りカーテンに芯地を貼り合わせて縫製することにより下げ方向に補強されていることを特徴とする請求項２の前飾り付きカーテン。
【考案の詳細な説明】
【技術分野】
【０００１】
本考案は、日常使用されるカーテンの吊下げ丈を容易に調整することができる前飾り付きカーテンに関するものである。
【背景技術】
【０００２】
カーテンは屋内の使用する場所によっては窓高の違いがありカーテンの丈の長さが異なる。そのために購入したカーテンを取り付けるとカーテンの丈が窓高より長い時は丈を短くする必要があり、購入したカーテンの裾を切り取りカーテンの丈を短くする補正が必要となる。購入したカーテンの丈より窓高が高い時は、窓高に合わせたカーテンを再度購入するか、別の生地布を購入しカーテン丈を長くする補正が必要となるが、生地やデザインが異なり違和感を与えるのみに止まらず、煩わしい補正作業が伴うことからカーテンの丈を長くする補正は困難である。
【０００３】
特許文献１で開示されている金具を使う丈調整法では使用するＡフックがS字型となっておりカーテンの表地を正面に向けようとすると金物の内側からＡフックを引掛けなければならず金具を飾り幕に固定が出来ないという欠点がある。さらにカーテンの開閉時に金具の重さや間接的な動きが飾り幕と主幕の動きを悪くし実用には不向きであるといった欠点があった。
【０００４】
特許文献２で開示されている主幕に飛び縫い縫製によるフックホールを持つカーテンでは、フックホールの数を多くするためには調整部分を長く取らねばならず、調整部分を長く取ることによりカーテンレールの上部に大きく調整部分がはみ出し、調整部分の布が天井に触れカーテンの動きを悪くし実用には不向きであるという欠点があった。
【特許文献１】実用新案登録番号  第３０４５５６８号
【特許文献２】実用新案出願公開  昭５１−１２９５１９号
【考案の開示】
【考案が解決しようとする課題】
【０００５】
本考案は、窓高の違いで購入したカーテンの丈が窓高より短い、又は一度別の窓高で使用したカーテンで丈が短いカーテンを再縫製する必要を無くし容易にカーテンの丈の調整を可能とすることで、市販のカーテン丈の異なった長さのカーテンをそのまま利用することを課題とする。
【課題を解決するための手段】
【０００６】
本考案は、前飾りカーテンに本体カーテンの丈を容易に調整するために前飾りカーテンに設けた複数の溝部に縦列に等間隔に複数の糸目を施し、本体カーテンの取付フックにより飾りカーテンに本体カーテンを吊下げる。また、生地が柔軟である為におきるカーテン型崩れの問題も、本体カーテンの背面に芯地を充て糸目を縫製することにより本体カーテンの生地の柔軟性を克服し、カーテンの開閉の動きを良くしている。
【考案の効果】
【０００７】
考案の前飾りカーテンを利用する事により、丈の短いカーテンであっても、そのまま利用できる。考案の前飾りカーテンは市販のカーテンであっても機能デザイン性共に一体化することから、インテリアデザインを損ねる事無く利用することが出来る。
【考案を実施するための最良の形態】
【０００８】
本考案の実施の形態を説明する。本考案の本体カーテン２の丈の調整用糸目４を施した前飾りカーテン１と取付フック５の実施形態は前飾りカーテン１の縦方向に複数設けた折り込み溝部に等間隔に施した糸目４に取付フック５により任意の前飾りカーテン１の糸目４の位置に本体カーテン２の取付フック５により前飾りカーテン１に本体カーテン２を吊下げることによりカーテン丈の長さが調整できる。
【実施例】
【０００９】
図１、図２は考案の前飾りカーテン１の実施例を示す説明図である。図４の取付フック５を本体カーテン２の上部に取り付け、前飾りカーテン１に前飾りカーテン１に施した糸目４に本体カーテン２の取付フック５により本体カーテン２を吊下げる。
図示はされていないが、前飾りカーテン１は、窓の上部に設けられたカーテンレールに予めＡフック３（図示せず）により吊り下げている。
【００１０】
図３は取付フックの形状を示す。取付フック５の本体カーテン引掛け部ｃを本体カーテン２の上部のフックホールに刺し、前飾りカーテン糸目引掛け部ａの部分を前飾りカーテン１糸目４の任意の部分に刺し、本体カーテン２を前飾りカーテン１に吊下げる。
窓高に対し、カーテンの丈の長さが短い時は、前飾りカーテン１の糸目４の低い位置に取り付け直し、カーテンの丈の長さが長い時は糸目４の高い位置に取り付け直すことでカーテン丈の長さを調整することができる。また、カーテンを開閉する時にカーテンの生地が柔らかいと、カーテンの開閉がスムーズに出来ないことから、図２に示すように前飾りカーテン１の背面（斜線で示す部分）に芯地６を縫合する事で生地の柔軟性を克服し適度な強度を持たせ、開閉の動作が前飾りカーテン１に伝わりカーテンレール（図示せず）とカーテンとの滑りも良くなりスムースに開閉することができる。
【００１１】
取付フック５の素材は、金属又は樹脂の何れでもよい。素材を金属棒で製造する方法について説明する。金属棒の下部をフック本体ｂと平行になるように略４５ｍｍ間隔のU字型に折り曲げる。金属棒の上部は下部と同一方向に略１０ｍｍ間隔のU字型に折り曲げることを特徴とする。素材を樹脂で製造する方法について説明する。素材が金属棒と同一の金型を作り、樹脂成型により製造する。
【産業上の利用可能性】
【００１２】
前飾りカーテンと取付フックを上部に具備する本体カーテンとからなり、本体カーテンの取付フックを前飾りカーテンの糸目に取り付け、カーテン丈の長さを調整することで容易に窓高が異なってもカーテンとして利用できる。
【図面の簡単な説明】
【００１３】
【図１】前飾りカーテンを背面（窓側）から見た状態を示す説明図である。
【図２】前飾りカーテンの芯地（斜線部）を縫製した状態を示す説明図である。
【図３】前飾りカーテンと本体カーテンを取り付けた状態を示す説明図である。
【図４】前飾りカーテンにカーテン本体部を吊下げる取付フックを示す説明図である。
【符号の説明】
【００１４】
１  前飾りカーテン
２  カーテン本体部
３  Ａフック
４  糸目
５  取付フック
６  芯地
ａ  前飾りカーテン糸目引掛け部
ｂ  フック本体
ｃ  本体カーテン引掛け部
【図１】
0003142647.tif 000003
【図２】
0003142647.tif 000004
【図３】
0003142647.tif 000005
【図４】
0003142647.tif 000006